(57)【要約】【課題】電子機器において、ネットワーク等を経由してユーザがアクセスする情報について、接続先の状況に関わらず、ファイルスキームを用いて予め関連づけられたスキームのプロセスを、直接、起動する電子機器及びその制御方法を提供する。【解決手段】実施形態の電子機器は、第一の取得部と、第二の取得部と、制御部と、を具備する。第一の取得部は、入力指示されたスキーマを取得する。第二の取得部は、前記取得部が取得する前記スキーマに基づいて、実行すべき対象スキームを取得する。制御部は、前記第二の取得部が取得する前記対象スキームに基づいて、所定の動作を実行する。【選択図】図３
2013168733.tif 000002
【特許請求の範囲】
【請求項１】
入力指示されたスキーマを取得する第一の取得部と、
前記取得部が取得する前記スキーマに基づいて、実行すべき対象スキームを取得する第二の取得部と、
前記第二の取得部が取得する前記対象スキームに基づいて、所定の動作を実行する制御部と、
を具備する電子機器。
【請求項２】
前記第二の取得部が取得する前記対象スキームを保持する参照部をさらに具備する請求項１記載の電子機器。
【請求項３】
前記第二の取得部は、前記参照部が保持する前記対象スキームに基づいて、内部で保持する情報の再生、もしくは外部へのアクセスが情報の取得を設定する請求項１または２記載の電子機器。
【請求項４】
前記第二の取得部が取得する前記対象スキームは、前記制御部による動作を特定するための情報を含む請求項１〜３のいずれかに記載の電子機器。
【請求項５】
前記第一の取得部が前記スキーマを取得する入力指示を表示する表示部をさらに具備する請求項１〜３のいずれかに記載の電子機器。
【請求項６】
入力指示に基づいてスキーマを取得し、
取得したスキーマに基づいて、実行すべき対象スキームを取得し、
取得した対象スキームに基づいて、所定の動作の実行を開始する
電子機器の制御方法。
【請求項７】
対象スキームの取得に、スキーマに対応する参照テーブルを用いる請求項６の電子機器の制御方法。
【請求項８】
対象スキームは、動作を特定するための情報を含む請求項６の電子機器の制御方法。
【請求項９】
ポータルページ（ウェブページ）を表示するためのな情報をダウンロードし、
表示されたポータルページが含むアイテムのうち、選択済みアイテムを認識し、
認識した選択済みアイテムのリソース情報を、出力し、
参照テーブルの記述を参照し、リソース情報に対応する動作を確認し、
確認されたリソース情報に対応する動作に基づいて、アプリケーションを起動する電子機器の制御方法。
【発明の詳細な説明】
【技術分野】
【０００１】
この発明は、情報を再生する電子機器及びその制御方法に関する。
【背景技術】
【０００２】
電子機器が再生する情報として、放送（配信）事業者等が放送（ブロードキャスト）等により提供するものと、ネットワーク等を経由してユーザがアクセスすることで取得するものと、が広く知られている。
【先行技術文献】
【特許文献】
【０００３】
【特許文献１】特開２０００−２０４４０号公報
【特許文献２】特開２０１１−５４２１５号公報
【発明の概要】
【発明が解決しようとする課題】
【０００４】
放送を受信するテレビジョン受信装置等の電子機器からネットワーク等に接続する場合、接続相手先の状況が不明な場合がある。また、特定の識別子がつけられている情報であっても、識別子から判別できる情報の種別と実際の情報の種別が一致しない場合がある。
【０００５】
この発明の目的は、ネットワーク等を経由してユーザがアクセスする情報について、接続先の状況に関わらず、ファイルスキームを用いて予め関連づけられたスキームのプロセスを、直接、起動する電子機器及びその制御方法を提供することである。
【課題を解決するための手段】
【０００６】
実施形態によれば、電子機器は、表示部と、照明手段と、制御手段と、抽出手段と、算出手段と、を具備する。表示部は、映像を表示する。照明手段は、前記表示部を照明する。制御手段は、前記照明手段に第一の制御量及び第二の制御量のそれぞれの組み合わせにより補正された駆動信号を供給する。抽出手段は、前記第一の制御量を前記表示部が表示する前記映像に対応する画像信号から抽出する。算出手段は、前記第二の制御量を前記表示部が表示する前記映像に対応する画像信号から算出する。
【図面の簡単な説明】
【０００７】
【図１】実施形態を適用する再生装置（電子機器）の出力画像信号の表示例の一例を示す。
【図２】実施形態を適用する再生装置における主要な制御ブロックの一例を示す。
【図３】実施形態を適用する再生装置における制御信号の流れの一例を示す。
【図４】実施形態を適用する再生装置が用いるＵＲＬスキームの一例を示す。
【図５】実施形態を適用する再生装置が用いるファイルスキームテーブルの一例を示す。
【図６】実施形態を適用する再生装置における制御信号の流れの一例を示す。
【図７】実施形態を適用する再生装置を実現する装置（テレビ装置）の一例を示す。
【図８】実施形態を適用する再生装置を実現する装置（レコーダ装置）の一例を示す。
【発明を実施するための形態】
【０００８】
以下、図面を参照して、本発明の実施の一形態について説明する。
【０００９】
図１は、本発明を適用する電子機器（テレビジョン放送受信装置、以下、テレビ受信装置と略称する）の表示部すなわちディスプレイにおける出力画像信号の表示例の一例を示す。なお、実施形態においては、電子機器としてテレビ受信装置を例に説明するが、これに限定されることはない。すなわち、放送受信装置、放送受信機能付き携帯電話、放送受信機能付きパーソナルコンピュータ、及び放送受信装置が搭載された映像記録装置（レコーダ装置）等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。なお、番組は、コンテンツ（ストリーム）とも称され、映像及び音声もしくは音楽等を含む。また、映像は、動画と静止画、あるいはテキストを主体とした文字放送やデータ放送の表示等を含む。
【００１０】
図１において、ディスプレイ１０１は、図７により後段に説明するテレビ装置の表示処理部７３３あるいは図８により後段に説明するレコーダ装置の出力回路（表示制御部）８０６が出力する出力画像信号に対応するポータルページ表示１１１を表示する。ポータルページ表示１１１は、任意数のアイテムすなわちアイテム表示＜１＞、アイテム表示＜２＞、・・・、アイテム表示＜Ｎ（Ｎは、正の整数）＞を含む。
【００１１】
ポータルページ表示１１１が表示するポータルページのＵＲＩ（Uniform Resource Identifier、すなわちさまざまなＵＲＬ（Uniform Resource Locater）のうちのポータルページを特定する識別情報）は、図７により後段に説明するテレビ装置の主制御ブロック７５０あるいは図８により後段に説明するレコーダ装置の主制御ブロック８０４が含むＭＰＵ（Main Processing Unit）のファームウエアとして、あるいはＭＰＵと接続するメモリ装置が保持する。ＵＲＩは、主制御ブロック７５０（８０４）のファームウエアとして、あるいは独立に用意されるｗｅｂ（ウェブ）処理部１０７のブラウザ（Browser）エンジン１１（図２参照）内に用意されてもよい。すなわち、ＵＲＩは、あらかじめテレビ装置に埋め込まれており、例えばリモコン（リモートコントロール端末）の所定キー（ボタン）を用いる操作入力、あるいは出力画像信号として用意されるＧＵＩ（Graphical User Interface）への応答であるユーザ指示等により起動する。なお、ＧＵＩは、通常、ベンダー（テレビ装置／レコーダ装置の供給元）が用意する機能などであり、各種、用意されている。
【００１２】
図２は、図１に示すディスプレイ（テレビ受信装置）が表示する出力画像信号の表示例を表示するための主要部（ウェブ処理部１０７）の構成の一例を示す。
【００１３】
ウェブ処理部１０７は、ブラウザエンジン１１、リソース（resource）アクセス処理部１２、スキーム（scheme）テーブル１３、アプリケーションマネージャ１４、及びファイルスキーム（file scheme）テーブル１５、を少なくとも、含む。
【００１４】
ブラウザエンジン１１は、ｗｅｂ（ウェブ）ページ／ホームページ（インターネット）へのアクセス及びブラウジング（閲覧）のためのブラウザの基本機能を有する。具体的には、ＨＴＭＬ（Hypertext Markup Language）の処理、ジャバスクリプト（JavaScript（登録商標）、すなわちホームページ（ｗｅｂ）の作成および表示に適したプログラム言語を用いる画像データを含むデータ処理）エンジンとしての表示画面処理、レンダリング（割り付けや配列等と解されるが、広義には表示画面処理と同義の）機能などを実現する。
【００１５】
リソースアクセス処理部１２は、図３により説明するＵＲＬスキーム（scheme）で指定されるリソース（参照先）に対してのアクセス処理を行う。
【００１６】
スキーム（scheme）テーブル１３は、スキーム（scheme）と、当該スキームが指定された場合に行うべき処理などが記載されているコマンドテーブルである。
【００１７】
アプリケーションマネージャ１４は、テレビ装置（電子機器）においてアプリケーションの生成・起動・終了などの管理を行う。
【００１８】
ファイルスキーム（file scheme）テーブル１５は、ファイルスキームがリソースとして指定された場合に行うべき処理などが記載されているコマンドテーブルである。
【００１９】
図３は、図１が示す出力画面表示に対するユーザ入力（リモコン操作／ＧＵＩからの入力指示）に対応する制御信号の流れの一例を示す。
【００２０】
ユーザ入力（リモコン操作／ＧＵＩからの入力指示）により、ポータルページの起動アクション（すなわちインタネットへの接続操作）が行われた場合、ブラウザエンジン１１は、当該ＵＲＬ（すなわち上述したポータルページ表示１１１を表示するためのポータルページのＵＲＩ）に対して「ＨＴＴＰ  ＧＥＴ」を実行し、当該ポータルページを表示するために必要な情報をダウンロードする。なお、ダウンロードする情報は、例えばｈｔｍｌ／ｃｓｓ（cascading style sheets）／ジャバスクリプト（JavaScript（登録商標））／ｐｎｇ（portable network graphics）などであり、ブラウザエンジン１１は、ダウンロードした情報をレンダリングする。
【００２１】
レンダリング後、表示されるポータルページ表示１１１は、図１により説明した例と実質的に同一であるが、任意数のアイテムすなわちアイテム表示＜１＞、アイテム表示＜２＞、・・・、アイテム表示＜Ｎ（Ｎは、正の整数）＞を含む。
【００２２】
アイテム表示＜１＞、アイテム表示＜２＞、・・・、アイテム表示＜Ｎ＞は、例えばアイコン（icon）としての機能を有する。従って、ユーザが、任意のアイテム表示（アイコン）を選択する（ユーザからの操作入力がある）ことで、所望の動作を行う。
【００２３】
ユーザが、例えば＜アイテム１＞、すなわちファイルスキームアイコン（file:///）であるアイテム表示＜１＞を選択すると、リソースアクセス処理部１２を通じて、ローカルアプリケーションの新しいアプリケーションの起動（生成・終了）を実行する（ファイルスキームに対応する呼び出しを行う）。
【００２４】
すなわち、ブラウザエンジン１１は、ダウンロードしたリソース情報（ＵＲＬスキーム）を、リソース処理部１２に出力する。リソース処理部１２は、スキームテーブル１３（図４参照）を読み出し、当該リソース情報に対してどのようなアクションをかけるか、を判断する（ＵＲＬスキームに基づいて区分される実行すべき対応をスキームテーブル１３から読み出す）。
【００２５】
次に、ブラウザエンジン１１は、ファイルスキームが指定するファイルスキームテーブル１５（図５参照）を読み出す。図５においては、アイテム表示＜１＞すなわち「アイテム１」には、例えば「file:///launcher/menu.html」が指定されているため、ファイルスキームテーブル１５の記載に従い、「menu.app」コマンドを、アプリケーションマネージャ１４に指定する。アプリケーションマネージャ１４は、この命令に従い、『menu.app（テレビ装置のメニューアプリケーションを起動し、＜app＞へのアクセスを準備する）』プロセスを実行する。このようにして、ローカル（テレビ装置内）のアプリケーションを起動することが可能である。
【００２６】
なお、スキームテーブル１３（図４参照）に用意されるＵＲＬスキーマ（スキーマ識別子）は、任意に設定可能であり、例えば「app:///」や「tokio.co.jp:///」で定義されるさまざまなアイテムを利用できる。
【００２７】
ユーザが、例えば＜アイテム２＞、すなわちｈｔｔｐスキームアイコン（http://）であるアイテム表示＜２＞を選択すると、リソース処理部１２は、スキームテーブル１３（図４参照）を読み出し、リソースアクセス処理部１２を通じて、（スキームテーブル１３が）指定するリソース（ウェブページ）を、ブラウジングする（ｗｅｂブラウザとしての機能を実行する（ｈｔｔｐスキームに対応する呼び出しを行う）。
【００２８】
すなわち、ブラウザエンジン１１は、ｈｔｔｐスキームが指定するリソース（ウェブページ）を読み出す。続いて、アプリケーションマネージャ１４を通じて、新しいウェブ（ｗｅｂ）ページにジャンプする（ｈｔｔｐスキームに対応する呼び出しを行う）。これにより、指定されているリソース、例えば「http://tokyo.co.jp./tv(“   ”)」にジャンプする。また、ファイルスキームアイコン（file:///）であるベンダーにおいてセキュアであることが確認されているアイテム表示＜ｘ（ｘは、１〜Ｎの正の整数）＞の選択（操作入力）を、ユーザに要求する。これにより、状況が不明な接続相手先（リソース）への不所望なアクセスを抑止できる。
【００２９】
なお、例えば＜アイテムＮ＞、すなわち（ＵＲＬスキームで指定されるスキームがメールスキームアイコン（mail to://）であるアイテム表示＜Ｎ＞を選択すると、ポータルページ表示１１１から遷移するブラウザ画面表示において、メールソフト（mail client software）が起動する。
【００３０】
すなわち、ＵＲＬスキームに特別なルールを与えることにより、例えばローカルのアプリケーションを好適に起動することが可能である
また、ファイルスキームによるローカルアプリケーションの実行に対して、特定のウェブページのみに、アクセスを可能とする（権限を与える）必要がある場合には、スキーマテーブルに、ドメイン（domain）あるいはオリジン（origyn、特定のウェブページへのアクセスが指定されている）に対する実行権限を記述すればよい。すなわち、ファイルスキームテーブル１５に、ドメイン（domain）／オリジン（origyn）を特定する記述を用意することで、よりセキュアなアクセスが可能となる。
【００３１】
例えば、ファイルスキームテーブル１５に、「*.tokio.co.jp」と記載した場合、ポータルページのＵＲＬが、例えば「http://xxxxx.tokio.co.jp/yyy/」のような（ファイルスキームテーブル１５に記載されたドメインを含む）形式の場合のみ、ローカルアプリケーションの実行が可能になる。これにより、ポータルページのような特別なサイト（ウェブページ）からのみ、ローカルアプリケーションを実行するようなセキュアなメカニズムを提供することが可能である。
【００３２】
図６は、図３〜図５が説明する動作の例をより詳細に説明する。
【００３３】
ブラウザエンジン１１から外部サーバに、「http get index.html/main/js/(“   ”)」を送信する［０１］。すなわち、ポータルページ（ウェブページ）を表示するためのな情報をダウンロードする（ｗｅｂページのダウンロード）。
【００３４】
表示されたポータルページ（図１のポータルページ表示１１１）が含む任意のアイテムを選択する（on select (icon for menu)）ことにより、ブラウザエンジン１１が選択済みアイテムを認識する［０２］。
【００３５】
ブラウザエンジン１１は、リソースアクセス処理部１２に、認識した選択済みアイテムのリソース情報（ＵＲＬスキーム）、例えば「resource load (file:///..)」を出力する［０３］。
【００３６】
リソースアクセス処理部１２は、スキームテーブル１３にアクセスし、スキームテーブル１３の記述を参照して、ブラウザエンジン１１からのＵＲＬスキーム（リソース情報）について、「check schema (“file:///”.”tokio.co.jp”)」すなわち「schema」と「domain」を用いて『実行するアクション＜どういうアクションをおこなうべきか＞』を確認する［０４］。
【００３７】
リソースアクセス処理部１２は、スキームテーブル１３から「check schema (“file:///”.”tokio.co.jp”)」への応答として、「ok start (“   ”) (“   ”)」の返信を受け取る［０５］。
【００３８】
リソースアクセス処理部１２は、スキームテーブル１３の参照結果（スキームテーブル１３が出力する「start (“   ”) (“   ”)」）に従い、アプリケーションを起動する。なお、引数（(“   ”)）は、起動するアプリケーション名に相当するので、リソースアクセス処理部１２がアプリケーションマネージャ１４に供給する「start (menu.app)」に従い、指定されたアプリケーションが起動する［０６］。
【００３９】
すなわち、実施形態により、例えばＵＲＬスキーマが「http://(“   ”)」である場合には、インターネット上のホームページをウェブブラウザアプリケーションにより起動し、ＵＲＬスキーマが「file:///(“   ”)」である場合には、アプリケーション管理テーブルに基づきアプリケーションマネージャが適切なローカルアプリケーション（例えばFlash Player（フラッシュプレーヤー）、（menu.app）など）を起動するができる。
【００４０】
また、「file:///(“   ”)」スキームによるローカルアプリケーションの実行時には、オリジン（origyn）情報またはドメイン名を併せて用いることにより、実行権限を持つサイトからのみ、アプリケーションを起動ができる。
【００４１】
このように、ファイルスキームを用いて、予め関連づけられたスキームのプロセスを、直接、起動することができる。また、これにより、セキュアであることが確認されていることが不明な接続相手先（リソース）への不所望なアクセスを抑止できる。
【００４２】
なお、図２に示したｗｅｂ（ウェブ）処理部１０７は、図７に示すテレビ装置において、主制御ブロック７５０内に、あるいは主制御ブロック７５０と接続するよう設けられる。
【００４３】
図７は、図１が説明するディスプレイ１０１及び図２が説明するウェブ処理部１０７を有する電子機器（テレビ装置／放送受信装置）の構成の一例を示す。
【００４４】
放送受信装置７０１は、放送入力端子７１０、チューナ７１１、復調部７１２、信号処理部７１３、通信インタフェース７１４、音声処理部７２１、映像処理部７３１、ＯＳＤ処理部７３２、表示処理部７３３、制御部７５０、操作入力部７６１、第１の受光部７６２、カードコネクタ７６４、ＵＳＢコネクタ７６６、ディスクドライブ７７０、及び電源制御部７８０を備える。また、放送受信装置７０１は、さらにスピーカ７１８及びディスプレイ１０１を備える。
【００４５】
放送入力端子７１０は、例えばアンテナ７１９により受信されるデジタル放送信号が入力される入力端子である。アンテナ７１９は、例えば、地上デジタル放送信号、ＢＳ（Broadcasting Satellite）デジタル放送信号、及び／または、１１０度ＣＳ（Communication Satellite）デジタル放送信号を受信する。即ち、放送入力端子７１０には、放送信号により供給される番組などのコンテンツが入力される。
【００４６】
放送入力端子７１０は、受信したデジタル放送信号をチューナ７１１に供給する。チューナ７１１は、デジタル放送信号用のチューナである。チューナ７１１は、アンテナ７１９から供給されるデジタル放送信号のチューニング（選局）を行う。チューナ７１１は、チューニングしたデジタル放送信号を復調部７１２に送信する。
【００４７】
復調部７１２は、受信するデジタル放送信号の復調を行う。復調部７１２は、復調したデジタル放送信号（コンテンツ）を信号処理部７１３に入力する。即ち、アンテナ７１９、チューナ７１１、及び復調部７１２は、コンテンツを受信する受信手段として機能する。
【００４８】
信号処理部７１３は、デジタル放送信号（動画のコンテンツデータ）に対して信号処理を施す信号処理手段として機能する。信号処理部７１３は、復調部７１２から供給されるデジタル放送信号に、信号処理を施す。即ち、信号処理部７１３は、デジタル放送信号を映像信号、音声信号、及びその他のデータ信号に分離する。信号処理部７１３は、音声処理部７２１に音声信号を供給する。また、信号処理部７１３は、映像処理部７３１に映像信号を供給する。さらに、信号処理部７１３は、制御部７５０、及び／またはＯＳＤ処理部７３２にデータ信号を供給する。
【００４９】
信号処理部７１３は、通信インタフェース７１４から受信するデジタル信号に信号処理を施す。例えば、信号処理部７１３は、デジタル信号をデジタル映像信号とデジタル音声信号とデータ信号とに分離する。信号処理部７１３は、音声処理部７２１にデジタル音声信号を供給する。また、信号処理部７１３は、映像処理部７３１にデジタル映像信号を供給する。さらに、信号処理部７１３は、制御部７５０、及び／またはＯＳＤ処理部７３２にデータ信号を供給する。
【００５０】
なお、信号処理部７１３は、通信インタフェース７１４に入力されるコンテンツと、放送入力端子７１０に入力されるコンテンツとのいずれかを選択し、処理を行う。即ち、信号処理部７１３は、デジタル放送信号とデジタル信号のいずれかに対して信号の分離処理を行う。
【００５１】
音声処理部７２１は、信号処理部７１３から受信したデジタル音声信号を、スピーカ７１８により再生可能なフォーマットの信号（オーディオ信号）に変換する。音声処理部７２１は、オーディオ信号をスピーカ７１８に供給する。スピーカ７１８は、供給されるオーディオ信号に基づいて音を再生する。
【００５２】
映像処理部７３１は、信号処理部７１３から受信した映像信号を、ディスプレイ７１９で再生可能なフォーマットの映像信号に変換する。即ち、映像処理部７３１は、信号処理部７１３から受信した映像信号を、ディスプレイ７１９で再生可能なフォーマットの映像信号にデコード（再生）する。また、映像処理部７３１は、ＯＳＤ処理部１３２から供給されるＯＳＤ信号を映像信号に重畳する。映像処理部７３１は、映像信号を表示処理部７３３に出力する。
【００５３】
ＯＳＤ処理部７３２は、信号処理部７１３から供給及び図２及び図３により説明した接続相手先機器との間の消費電力、機能（要素の世代）の相違の検出及び判定を実行する。強雨されるデータ信号、及び／または制御部１５０から供給される制御信号に基づいて、ＧＵＩ（Graphical User Interface、グラフィカルユーザインタフェース）画面、字幕、時刻、または他の情報などを画面に重畳して表示するＯＳＤ信号を生成する。
【００５４】
表示処理部７３３は、例えば、制御部７５０からの制御に基づいて、受信した映像信号に対して色味、明るさ、シャープ、コントラスト、またはその他の画質調整処理を行う。表示処理部７３３は、画質調整を施した映像信号をディスプレイ１０１に供給する。ディスプレイ１０１は、供給される映像信号に基づいて映像を表示する。
【００５５】
ディスプレイ１０１は、例えば、マトリクス状に配列された複数の画素を備える液晶表示パネルと、この液晶パネルを照明するバックライトとを備える液晶表示装置などを備える。ディスプレイ１０１は、放送受信装置７０１から供給される映像信号に基づいて映像を表示する。
【００５６】
なお、放送受信装置７０１は、ディスプレイ１０１の代わりに、映像出力端子を備える構成であってもよい。また、放送受信装置７０１は、スピーカ７１８の代わりに、音声出力端子を備える構成であってもよい。
【００５７】
制御部７５０は、放送受信装置７０１の各部の動作を制御する制御手段（主制御ブロック）として機能する。制御部７５０は、ＣＰＵ（主制御ユニット）７５１、ＲＯＭ（読み出し専用メモリ）７５２、ＲＡＭ（書き換え可能（ランダムアクセス）メモリ）１５３、及びＥＥＰＲＯＭ（不揮発性メモリ）７５４、クロック（ＣＬＫ）７５５、などを備えている。制御部７５０は、操作入力部７６１から供給される操作信号に基づいて、種々の処理を行う。
【００５８】
ＣＰＵ７５１は、種々の演算処理を実行する演算素子、ファームウエアを保持し、実行するメモリ領域などを備える。ＣＰＵ７５１は、ＲＯＭ７５２、またはＥＥＰＲＯＭ７５４などに記憶されているプログラムを実行することにより種々の機能を実現する。また、ＣＰＵ７５１は、上述したウェブ処理部１０７の制御などを実行する。
【００５９】
ＲＯＭ７５２は、放送受信装置７０１を制御するプログラム、及び各種の機能を実現するプログラムなどを記憶する。ＣＰＵ７５１は、操作入力部７６１から供給される操作信号に基づいて、ＲＯＭ７５２に記憶されているプログラムを起動する。これにより、制御部７５０は、各部の動作を制御する。
【００６０】
ＲＡＭ７５３は、ＣＰＵ７５１のワークメモリとして機能する。すなわち、ＲＡＭ７５３は、ＣＰＵ７５１の演算結果、ＣＰＵ７５１により読み込まれたデータ、操作入力部７６１もしくはリモートコントローラ（リモコン）により入力される入力情報などを記憶する。
【００６１】
ＥＥＰＲＯＭ７５４は、各種の設定情報、及びプログラムなどを記憶する。
【００６２】
制御部７５０にはまた、半導体メモリであるカード状媒体（メモリカード）Ｍからの情報の読み出しとメモリカードＭへの情報の書き込みを可能とするカード＿ＩＦ７５５、ネットワーク接続部（通信＿ＩＦ）７５６、ＨＤＭＩ７５７（図１Ａの信号伝送部（通信部）１１６に相当）ＵＳＢ＿Ｉ／Ｆ７５８、およびｉ．Ｌｉｎｋ＿Ｉ／Ｆ（インタフェース）７５９等の任意数のＩ／Ｆ（Interface，インタフェース）群が接続され、それぞれのインタフェースに適合する外部装置、あるいはハブ（拡張装置）もしくはネットワーク制御装置として機能する。
【００６３】
カード＿ＩＦ（インタフェース）７５５は、例えば、動画コンテンツを記憶するメモリカードＭと通信を行うインタフェースである。カード＿ＩＦ７５５は、接続されるメモリカードＭからコンテンツデータを読み出し、制御部７５０に供給する。
【００６４】
ＨＤＭＩ７５６には、ＨＤＭＩ端子を介して、例えば図６に一例を示したレコーダ（映像再生装置／第一の電子機器）２０１あるいは図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内臓のＤＶＤレコーダ、ＤＶＤプレーヤ等の外部機器が接続可能である。なお、ＨＤＭＩ端子がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００６５】
ＵＳＢ（Universal Serial Bus）＿Ｉ／Ｆ（インタフェース）７５８は、ＵＳＢ機器と通信を行うインタフェースである。ＵＳＢ＿Ｉ／Ｆ７５８は、接続されるＵＳＢ機器から供給される信号を制御部７５０に供給する。
【００６６】
例えば、ＵＳＢ機器がキーボードなどの操作入力機器である場合、ＵＳＢ＿Ｉ／Ｆ７５８は、操作信号をＵＳＢ機器から受け取る。ＵＳＢ＿Ｉ／Ｆ７５８は、受け取った操作信号を制御部７５０に供給する。この場合、制御部７５０は、ＵＳＢ＿Ｉ／Ｆ７５８から供給される操作信号に基づいて種々の処理を実行する。
【００６７】
また、例えば、ＵＳＢ機器が動画のコンテンツデータを記憶する記憶装置である場合、ＵＳＢ＿Ｉ／Ｆ７５８は、コンテンツをＵＳＢ機器から取得することができる。ＵＳＢ＿Ｉ／Ｆ７５８は、取得したコンテンツを制御部７５０に供給する。
【００６８】
操作入力部７６１は、例えば、操作キー、キーボード、マウスまたは操作入力に応じて操作信号を生成する事ができる他の入力装置などを備える入力手段である。例えば、操作入力部７６１は、操作入力に応じて操作信号を生成する。操作入力部７６１は、生成した操作信号を制御部７５０に供給する。また、放送受信装置７０１がディスプレイ１０１を備える場合、操作入力部７６１は、ディスプレイ１０１と一体に形成されるタッチパネルなどを備える構成であってもよい。
【００６９】
受光部７６２は、例えば、リモコンからの操作信号を受信するセンサなどを備える。第１の受光部７６２は、受信した信号を制御部７５０に供給する。制御部７５０は、第１の受光部７６２から供給された信号を受信し、受信した信号を増幅させてＡ／Ｄ変換を行うことにより、リモコンから送信された元の操作信号を復号する。
【００７０】
リモコンは、ユーザの操作入力に基づいて操作信号を生成する。リモコンは、生成した操作信号を赤外線通信により受光部７６２に送信する。なお、受光部７６２及びリモコンは、電波などの他の無線通信により操作信号の送受信を行う構成であってもよい。
【００７１】
ディスクドライブ７７０は、例えば、コンパクトディスク（ＣＤ）、デジタルバーサタイルディスク（ＤＶＤ）、ブルーレイディスク（Blu-ray Disk（登録商標）／ＢＤ）、または動画のコンテンツデータを記録可能な他の光ディスクＤを装着可能なドライブを有する。ディスクドライブ７７０は、装着される光ディスクＤからコンテンツを読み出し、読み出したコンテンツを制御部７５０に供給する。
【００７２】
電源制御部７８０は、放送受信装置７０１の各部への電力の供給を制御する。電源制御部７８０は、例えば商用電源から電力を受け取る。商用電源は、交流の電力を電源制御部７８０に供給する。電源制御部７８０は、受け取った交流の電力を直流に変換し各部へ供給する。なお、電源制御部７８０は、例えば、ＡＣアダプタなどを介して変換された直流を直接受け付けるものであってもよい。
【００７３】
また、放送受信装置７０１は、さらに他のインタフェースを備えていても良い。インタフェースは、例えば、Ｓｅｒｉａｌ−ＡＴＡ（Serial-Advanced Technology Attachment）、ＬＡＮ（Local Area Network）ポートなどである。放送受信装置７０１は、インタフェースにより接続される機器に記録されているコンテンツを取得し、再生することができる。また、放送受信装置７０１は、再生したオーディオ信号及び映像信号を、インタフェースにより接続される機器に出力することが出来る。
【００７４】
また、放送受信装置７０１がインタフェースを介してネットワークに接続される場合、放送受信装置７０１は、ネットワーク上の動画のコンテンツデータを取得し、再生することができる。
【００７５】
またさらに、放送受信装置７０１は、ハードディスクドライブ（ＨＤＤ、大容量記憶装置）や、ＳＳＤ（Solid State Drive、すなわち半導体メモリ装置に対する記録と読み出しが可能なリーダライタ）などの記憶装置を備えていても良い。この記憶装置が動画のコンテンツデータを記憶する場合、放送受信装置７０１は、この記憶装置に記憶されているコンテンツを読み出し、再生することが出来る。また、放送受信装置７０１は、この記憶装置に例えば放送信号またはネットワークなどにより供給されるコンテンツを記憶することができる。
【００７６】
図８は、図１が説明するディスプレイ１０１及び図２が説明するウェブ処理部と対応するウェブ処理部８８７を有する電子機器（記録再生装置）の構成の一例を示す。
【００７７】
レコーダ（記録再生装置）８０１は、チューナ８０２、入力回路８０３、ＤＳＰ（デジタルシグナルプロセッサ、主制御ブロック（ＭＰＵ））８０４、記録装置８０５、出力回路８０６、ユーザ操作入力部（リモコン信号受信回路）８０７、電源部８０８、及びＨＤＭＩ処理部８０９と接続するポート８８１を少なくとも含む。
【００７８】
チューナ６０２は、アンテナ端子８２１に接続されるアンテナまたは光ケーブル等を介して、録画対象の番組を放送するチャンネルを選局する。
【００７９】
入力端子８０３は、ビデオ（Viedo）入力端８３１およびオーディオ（Audio）入力端６３２を経由して入力されるビデオ（動画）信号およびオーディオ（音声）信号を、受けつける。
【００８０】
ＤＳＰ（シグナルプロセッサ（主制御ブロック））８０４は、主制御装置（ＣＰＵ）８４０、ネットワークコントローラ８４１、アナログ−デジタルコンバータ（ＡＤＣ）８４２、エンコーダ８４３、インタフェース（Ｉ／Ｆ）８４４、デコーダ８４５、ユーザインタフェースグラフィック処理部（ＧＵＩ処理部）８４６、信号処理部８４７、セレクタ８４８、ＥＰＧ（Electric Program Guide）処理部８４９等の要素を、少なくとも含む。
【００８１】
ＤＳＰ（シグナルプロセッサ）８０４は、入力画像信号に所定の画像処理を施し、出力回路８０６及び（インタフェース８４４を経由して）ＨＤＭＩインタフェース部８０９に出力する。
【００８２】
主制御装置（ＣＰＵ）８４０は、上述した各要素の動作、ウェブ処理部８８７の制御などを実行する。
【００８３】
ネットワークコントローラ８４１は、ＬＡＮ端子８９１を経由して、外部ネットワークから供給されるストリーム形式の番組を受信する。なお、ＬＡＮ端子８９１は、例えば同一建物内に構築される比較的小規模のネットワーク（家庭内ＬＡＮ（Local Area Network））もしくはホームサーバ（Home Saver，大容量記録装置）および接続網と接続され、例えばホームサーバを介して、外部ネットワークと接続されることもある。また、家庭内ＬＡＮあるいはネットワークは、ＤＬＮＡ（Digital Living Network Alliance（登録商標））規格に準拠することが好ましい。
【００８４】
アナログ−デジタルコンバータ（ＡＤＣ）８４２、アナログ入力されたビデオ信号およびオーディオ信号をデジタル信号に変換し、エンコーダ８４３に入力する。なお、チューナ８０２がデジタル放送を受信する場合には、チューナ８０２の出力は、そのままエンコーダ８４３に入力されることはいうまでもない。
【００８５】
エンコーダ８４３は、入力されたアナログ信号（ビデオ／オーディオ）をデジタル信号に変換（エンコード）する。なお、例えばＭＰＥＧ−２あるいはＭＰＥＧ−４（Ｈ．２６４−ＡＶＣ））等に準拠した圧縮を伴う。
【００８６】
インタフェース８４４は、記録装置８０５との間のデータの受け渡し、あるいはリモコン信号受光回路８０７からの制御信号の入力に利用される。ＨＤＭＩ処理部８０９には、ＨＤＭＩ端子８８１を介して、例えば図７に一例を示すテレビ装置（再生装置）７０１、もしくはハブが接続される。なお、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子８８１がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。なお、インタフェース８４４に、上述のＨＤＭＩ処理部８０９が接続されるが、ＨＤＭＩ処理部８０９は、ネットワークコントローラ８４１に接続されてもよい。
【００８７】
デコーダ８４５は、ＭＰＥＧ−２あるいはＭＰＥＧ−４（Ｈ．２６４−ＡＶＣ））等に圧縮された番組を、デコードする。
【００８８】
ユーザインタフェースグラフィック処理部（ＧＵＩ処理部）８４６は、出力回路８０６を経由して映像出力端８６１に接続されるモニタ装置１０１に表示させるＧＵＩ（グラフィックインタフェース）画面表示を出力する。
【００８９】
ＥＰＧ処理部８４９は、例えばＢＳデジタル放送または地上デジタル放送において番組とともに送信されるＥＰＧデータもしくはＬＡＮ端子８９１を経由して外部から取得可能なＥＰＧデータを取得し、例えばＧＵＩ処理部８４６において番組の予約時に番組表を表示させるための日付、時間、チャンネル、番組長データとして保持する。なお、取得したＥＰＧデータは、図示しないメモリ装置あるいはＨＤＤ８５１の所定の領域に保存される。
【００９０】
記録装置８０５は、ＨＤＤ８５１に加え、例えばディスクドライブ装置８５２を含み、ＨＤＤ８５１内のＨＤあるいはディスクドライブ装置８５２にセットされるＤＶＤ規格の光ディスクＤに対して番組を記録し、もしくは既に記録されている番組を再生する。なお、ディスクドライブ装置８５２に加え、例えば半導体メモリ（メモリカード）等に番組を記録し、あるいは既に記録されている番組を再生するリーダ／ライタ（図示しない）が用意されてもよい。
【００９１】
出力回路８０６は、映像出力端８６１およびオーディオ出力端８６２に接続される再生装置、例えばモニタ装置とスピーカ装置に、ビデオエンコーダ８４７からの映像信号とＤＡＣ８４８からのオーディオ信号を出力する。
【００９２】
リモコン信号受光回路８０７は、リモコン受光部８７１において受け付けたユーザ操作入力を、インタフェース８４４を経由して、ＣＰＵ（主制御装置）８４０に入力する。
【００９３】
電源部８０８は、ＣＰＵ８４０の制御により主電源がオフ可能であり、図示しないタイマ部にセットされた予約時間が到来した時点で主電源をオンし、上述した各要素の動作を、動作可能状態に維持する。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１１…ブラウザエンジン（ウェブ処理部）、１２…リソースアクセス処理部（ウェブ処理部）、１３…スキームテーブル（ウェブ処理部）、１４…アプリケーションマネージャ（ウェブ処理部）、１５…ファイルスキーム（file scheme）テーブル（ウェブ処理部）、１０１…ディスプレイ（モニタ装置）、１０７…ウェブ処理部、７０１…再生装置（テレビ装置）、７５０…主制御ブロック、８０１…レコーダ装置（記録再生装置）、８０４…主制御ブロック、８８７…ウェブ処理部。
【図１】
2013168733.tif 000003
【図２】
2013168733.tif 000004
【図３】
2013168733.tif 000005
【図４】
2013168733.tif 000006
【図５】
2013168733.tif 000007
【図６】
2013168733.tif 000008
【図７】
2013168733.tif 000009
【図８】
2013168733.tif 000010